(57)【要約】      （修正有）【課題】電力管理システムのサーバ側の処理負担を軽減でき、通信障害に対しても安定運用できる蓄電池搭載機器を提供する。【解決手段】電力系統１０に接続された負荷装置と、電力系統１０に接続された蓄電池２３及びその蓄電池２３の充放電を所定の充放電アルゴリズムに従って制御する充放電制御装置２６を備えた蓄電池搭載機器２０とをネットワークを介してＥＭＳコントローラ３１に接続した電力管理システムにおいて、ＥＭＳコントローラ３１は、蓄電池搭載機器２０の充放電アルゴリズムを、ネットワークを介して充放電制御装置２０に送信する。充放電制御装置２０は、送信された充放電アルゴリズムを保持し、これに従って蓄電池２３の充放電動作を行う。【選択図】図２
2019009997.tif 000002
【特許請求の範囲】
【請求項１】
電力系統に接続された負荷装置と、前記電力系統に接続された蓄電池及びその蓄電池の充放電を所定の充放電アルゴリズムに従って制御する充放電制御装置を備えた蓄電池搭載機器とをネットワークを介してＥＭＳコントローラに接続した電力管理システムにおいて、
前記電力管理システムは、工場全体の電力負荷を管理するＦＥＭＳ、家庭内の電力機器を管理するＨＥＭＳ、街や地域の電力機器を管理するＣＥＭＳ、及び、ビル全体や商業施設の電力機器を管理するＢＥＭＳのいずれかであり、
前記ＥＭＳコントローラは前記蓄電池搭載機器の前記充放電アルゴリズムを、前記ネットワークを介して前記充放電制御装置に送信し、前記充放電制御装置は送信された前記充放電アルゴリズムを保持し、これに従って前記蓄電池の充放電動作を行い、
前記充放電制御装置は、所定の条件が満たされない場合に、前記ＥＭＳコントローラに対して前記充放電アルゴリズムを要求する信号を送信する電力管理システム。
【請求項２】
電力系統に接続された蓄電池及びその蓄電池の充放電をアルゴリズム記憶部に記憶された充放電アルゴリズムに従って制御する充放電制御装置を備えた蓄電池搭載機器であって、
前記蓄電池搭載機器は、深夜電力によって充電した電力を昼間に放電させて電力需要の平準化を図るピークシフト用、又は、昼間に太陽電池出力によって充電し、夜間に放電する太陽電池用であり、
前記電力系統に接続された複数の負荷装置を制御するための電力管理システムのネットワークに接続するためのネットワークインターフェースと、
前記電力管理システムから前記ネットワークを介して送信された充放電アルゴリズムを前記アルゴリズム記憶部に記録するアルゴリズム更新部と、
所定の条件が満たされない場合に、前記電力管理システムに対して前記充放電アルゴリズムを要求する信号を送信するアルゴリズム修正要求部と、を備える蓄電池搭載機器。
【請求項３】
電力系統に接続された負荷装置と、前記電力系統に接続された蓄電池及びその蓄電池の充放電を所定の充放電アルゴリズムに従って制御する充放電制御装置を備えた蓄電池搭載機器とがネットワークを介して接続されるＥＭＳコントローラにおいて、
前記蓄電池搭載機器の前記充放電アルゴリズムを、前記ネットワークを介して前記充放電制御装置に送信し、
所定の条件が満たされない場合に、前記充放電アルゴリズムを要求する信号を前記充放電制御装置より受信するＥＭＳコントローラ。
【請求項４】
請求項３に記載されたＥＭＳコントローラを制御する電力管理サーバであって、
前記充放電アルゴリズムを生成し、生成した前記充放電アルゴリズムを前記ＥＭＳコントローラに送信する電力管理サーバ。
【請求項５】
請求項４に記載の電力管理サーバであって、所定の条件を満たすか否かを検証し、前記所定の条件を満たす場合には、前記充放電アルゴリズムを生成する電力管理サーバ。
【請求項６】
蓄電池の充放電を所定の充放電アルゴリズムに従って制御する充放電制御装置がネットワークを介してＥＭＳコントローラに接続した電力管理システムにおいて、
前記ＥＭＳコントローラは前記充放電アルゴリズムを、前記ネットワークを介して前記充放電制御装置に送信し、
前記充放電制御装置は、送信された前記充放電アルゴリズムが第一の所定の条件を満たすか否か判断し、
前記充放電制御装置は送信された前記充放電アルゴリズムに従って前記蓄電池の充放電動作を行う電力管理システム。
【請求項７】
請求項６に記載の電力管理システムであって、前記充放電制御装置は、前記第一の所定の条件が満たされない場合に、前記ＥＭＳコントローラに対して前記充放電アルゴリズムを要求する電力管理システム。
【請求項８】
請求項６又は請求項７に記載の電力管理システムであって、前記ＥＭＳコントローラは、第二の所定の条件が満たされた際に、前記充放電アルゴリズムを前記充放電制御装置に送信する電力管理システム。
【請求項９】
請求項６から請求項８のいずれか一項に記載の電力管理システムであって、前記第一の所定の条件を満たすか否かは、前記蓄電池に充電されている余剰電力量が、負荷装置の運転継続に必要な電力量を上回るか否かを含む電力管理システム。
【発明の詳細な説明】
【技術分野】
【０００１】
本明細書によって開示される発明は、電力管理システム及びこれと連携する蓄電池搭載機器に関する。
【背景技術】
【０００２】
情報処理技術を駆使して電力需給を最適制御する電力管理システム（ＥＭＳ：Ｅｎｅｒｇｙ  Ｍａｎａｇｅｍｅｎｔ  Ｓｙｓｔｅｍ）が近年急速に発展している。この電力管理システムにおいて、リチウムイオン電池等の高性能蓄電池を搭載した蓄電池搭載機器は重要な役割を果たすことができる。蓄電池搭載機器として例えば無停電電源装置があり、これは電力系統の停電時に蓄電池から負荷装置に交流電力を供給するバックアップ電源として機能するよう設計されている。この無停電電源装置を、電力管理システム内に組み込んで連携させることができる。例えば、無停電電源装置が持つ特定の負荷装置のバックアップ時間分を除く蓄電池の余剰電力を、例えば昼間の電力使用量のピーク時に放電させることで、電力管理システムが管理する負荷装置群に対して電力系統から供給する電力ピークを平準化することができる。このような電力管理システムは、例えば特表２００８−５４４７３５公報に開示されている。
【０００３】
一方、無停電電源装置の制御装置は、通常時に蓄電池に所定の電力容量を維持するように充電動作を行い、停電発生時には蓄電池から放電して負荷に交流電力を供給するという放電動作を行うための所定の充放電アルゴリズムを備えている。従来の無停電電源装置がネットワークに接続されるとしても、それは運用監視を主目的としていた。例えば、電流・電圧の計測情報、停電検出情報、蓄電池の充電情報等を無停電電源装置側に蓄積しておき、例えば管理者の管理コンピュータのウェブブラウザから、無停電電源装置の制御装置に設定されているウェブサーバーにアクセスして無停電電源装置の状態を確認したり、無停電電源装置の状態が変化したりしたときに電子メール機能によって管理者にメールを送信するのである。
【０００４】
このため、先の公報に記載の技術のように無停電電源装置を電力管理システムに連携させようとすると、電力管理システムのサーバ側から無停電電源装置の動作を制御する必要がある。
【先行技術文献】
【特許文献】
【０００５】
【特許文献１】特表２００８−５４４７３５号公報
【発明の概要】
【発明が解決しようとする課題】
【０００６】
電力管理システムのサーバがそれと連携する無停電電源装置等の蓄電池搭載機器の充放電アルゴリズムを決定するのは適切な面もある。電力管理システムのサーバは各負荷装置の状況や電力系統の状況を把握しているから、負荷装置の種類・容量、昼夜・季節等の使用条件或いは電力制御目的に応じて、各蓄電池搭載機器の充放電アルゴリズムをどのようにすれば電力管理システムの管理範囲の全体最適な制御となるかを決定できるからである。
【０００７】
しかしながら、ＥＭＳコントローラは本来的に空調や照明等の負荷装置をきめ細かく制御するタスクを実行しなくてはならないから、その中で蓄電池搭載機器の充放電制御が追加されると、電力管理システムのサーバの処理負担は極めて大きくなる。特に、電力管理システムが管理範囲内で多数の蓄電池搭載機器と連携している場合には顕著となる。
【０００８】
しかも、電力管理システムが蓄電池搭載機器の充放電を制御しているときに、万が一、ネットワークに障害が発生すると充放電制御に失敗し、その結果、電力制御が行われなくなる危険がある。
【０００９】
そこで本明細書は、電力管理システム側の処理負担をできるだけ軽減でき、通信障害の発生にも強い電力管理システムと連携する蓄電池搭載機器の制御装置に関する技術を開示する。
【課題を解決するための手段】
【００１０】
本明細書によって開示される技術は、電力系統に接続された負荷装置と、前記電力系統に接続された蓄電池及びその蓄電池の充放電を所定の充放電アルゴリズムに従って制御する充放電制御装置を備えた蓄電池搭載機器とをネットワークを介してＥＭＳコントローラに接続した電力管理システムにおいて、前記電力管理システムは、工場全体の電力負荷を管理するFEMS、家庭内の電力機器を管理するHEMS、街や地域の電力機器を管理するCEMS、ビル全体や商業施設の電力機器を管理するBEMSの少なくともいずれかであり、前記ＥＭＳコントローラは前記蓄電池搭載機器の前記充放電アルゴリズムを、前記ネットワークを介して前記充放電制御装置に送信し、前記充放電制御装置は送信された前記充放電アルゴリズムを保持し、これに従って前記蓄電池の充放電動作を行う電力管理システムである。
【００１１】
また、電力系統に接続された蓄電池及びその蓄電池の充放電をアルゴリズム記憶部に記憶された充放電アルゴリズムに従って制御する充放電制御装置を備えた蓄電池搭載機器であって、深夜電力によって充電した電力を昼間に放電させて電力需要の平準化を図るピークシフト用の前記蓄電池搭載機器、及び、昼間に太陽電池出力によって充電し、夜間に放電する太陽電池用の前記蓄電池搭載機器のいずれかであり、前記電力系統に接続された複数の負荷装置を制御するための電力管理システムのネットワークに接続するためのネットワークインターフェースと、前記電力管理システムから前記ネットワークを介して送信された充放電アルゴリズムを前記アルゴリズム記憶部に記録するアルゴリズム更新部と、所定の条件が満たされない場合に、前記電力管理システムに対して前記充放電アルゴリズムを要求する信号を送信するアルゴリズム修正要求部と、を備える蓄電池搭載機器も本明細書に開示されている。
また、電力系統に接続された負荷装置と、前記電力系統に接続された蓄電池及びその蓄電池の充放電を所定の充放電アルゴリズムに従って制御する充放電制御装置を備えた蓄電池搭載機器とがネットワークを介して接続されるＥＭＳコントローラにおいて、前記蓄電池搭載機器の前記充放電アルゴリズムを、前記ネットワークを介して前記充放電制御装置に送信し、前記充放電制御装置は送信された前記充放電アルゴリズムを保持し、これに従って前記蓄電池の充放電動作を行い、所定の条件が満たされない場合に、前記充放電制御装置により、前記充放電アルゴリズムを要求する信号が送信されるとともに、所定の条件が満たされた際に、前記充放電アルゴリズムを前記充放電制御装置に送信するＥＭＳコントローラも本明細書に開示されている。
また、蓄電池の充放電を所定の充放電アルゴリズムに従って制御する充放電制御装置がネットワークを介してＥＭＳコントローラに接続した電力管理システムにおいて、前記ＥＭＳコントローラは前記充放電アルゴリズムを、前記ネットワークを介して前記充放電制御装置に送信し、前記充放電制御装置は送信された前記充放電アルゴリズムに従って前記蓄電池の充放電動作を行い、前記充放電制御装置は、所定の条件を満たすか否かを判断する電力管理システムも本明細書に開示されている。
【発明の効果】
【００１２】
本明細書によって開示される技術によれば、電力管理システムのサーバ側の処理負担を軽減でき、通信障害の発生に対しても強くすることができる。
【図面の簡単な説明】
【００１３】
【図１】電力管理システムの構成を示すブロック図
【図２】無停電電源装置の構成を示すブロック図
【図３】ネットワークユニットの構成を示すブロック図
【図４】充放電アルゴリズムの配布ルーチンを示すフローチャート
【図５】充放電アルゴリズムの更新ルーチンを示すフローチャート
【発明を実施するための形態】
【００１４】
実施形態を図１ないし図５を参照して説明する。
【００１５】
交流の電力系統１０に複数台の負荷装置１１〜１４が接続されている。負荷装置１１，１２としては電力系統１０の停電に対して電力のバックアップを必要とするサーバ機器を例示でき、負荷装置１３，１４としては空調機器や照明機器等の一般的な負荷装置を例示できる。負荷装置１１，１２は、電力バックアップのためそれぞれ蓄電池搭載機器に相当する無停電電源装置２０（以後、「ＵＰＳ２０」と称する）を介して電力系統１０に連なる。
【００１６】
２台のＵＰＳ２０及び負荷装置１３，１４は、ネットワーク３０を介してＥＭＳコントローラ３１に接続され、後に詳述するように電力管理サーバ３２による制御されるＥＭＳコントローラ３１によってそれらの動作が制御される。なお、電力管理サーバ３２は、各負荷装置１１〜１４及びＵＰＳ２０の動作に関する情報のデーターベースを有しており、それに基づいて実際の電力需給状態に応じて負荷装置の最適な運用態様を解析し、その解析結果に基づいてＥＭＳコントローラ３１がＵＰＳ２０，負荷装置１３，１４に動作指令を出力する。
【００１７】
ＵＰＳ２０は、図２に示すように、電力系統１０からの交流を整流器２１によって整流し、双方向コンバーター２２を介してリチウムイオン電池等の蓄電池２３を充電する。蓄電池２３に蓄えられた電力は、双方向コンバーター２２を介してインバータ２４に与えられ、交流電力に変換されてインバータバイパススイッチ２５を介して負荷装置１１，１２に与えられる。
【００１８】
ＵＰＳ２０内の構成要素である整流器２１、双方向コンバーター２２、インバータ２４及びインバータバイパススイッチ２５はＵＰＳ制御回路２６によって制御される。電力系統１０が正常に電力を供給している場合には、蓄電池２３が所定の容量を維持するように充電すると共にインバータ２４からの交流電力を負荷装置１１，１２に供給する。蓄電池２３の容量は、例えば蓄電池２３の電圧・内部抵抗等の情報からＵＰＳ制御装置２６が演算する。従って、このＵＰＳ制御装置２６が蓄電池２３の充電容量を取得する充電容量取得部として機能する。なお、ＵＰＳ制御装置２６では、蓄電池２３を構成する全ての単位セルについて、所定時間毎に電圧、電流、温度を取得し、ＵＰＳ２０の動作状況と共に図示しないメモリーに記録するようになっている。
【００１９】
一方、電力系統１０の停電が検出されると、ＵＰＳ制御装置２６は、蓄電池２３に充電されている直流電力を、双方向コンバーター２２を介してインバータ２４に供給することで交流電力を負荷装置１１，１２に継続して供給する。このように、このＵＰＳ制御装置２６は、蓄電池２３の充放電を所定の充放電アルゴリズムに従って制御する機能を備える。その充放電アルゴリズムは、ＵＰＳ制御装置２６のメモリーと後述するネットワークユニット４０に設けられているアルゴリズム記憶部に相当する記憶部４１に記録されている。なお、インバータバイパススイッチ２５は例えばＵＰＳ２０の点検作業時にインバータ２４を停止させる場合に、電力系統１０の電力を負荷装置１１，１２に直接的に供給するように切り換えられる。
【００２０】
ＵＰＳ２０には、ＵＰＳ２０を前述のネットワーク３０に接続するためのネットワークユニット４０が備えられている。このネットワークユニット４０は、詳細には図３に示す構成で、前述の記憶部４１，ネットワークインターフェース４２，主演算部４３及び拡張インターフェース４４を備える。ネットワークインターフェース４２は、ＥＭＳコントローラ３１がつながるネットワーク３０に有線接続するためのコネクタ（図示せず）を有する。
【００２１】
拡張インターフェース４４は無線ＬＡＮであるＷｉ−Ｆｉ（登録商標）又はブルートゥース（登録商標）等の無線通信回線及び／又はＵＳＢ、ＲＳ２３２Ｃ等の有線通信回線のためのインターフェースである。この拡張インターフェース４４は例えば保守点検用の携帯情報端末５０を接続するためのもので、ネットワーク３０とは切り離された独立の通信回線を確立する。
【００２２】
記憶部４１には、前述したＵＰＳ制御装置２６の充放電アルゴリズムを記憶する領域だけでなく、主演算部４３の各種機能を実行するプログラムが格納されている。例えば、ＵＰＳ制御装置２６において取得した蓄電池２３のセル毎の動作状況を記憶部４１に転送するプログラム、それらの情報を管理するログファイルプログラム、動作情報をHTTP/HTTPSベースのユーザインターフェースとして提供するためのＷＥＢサーバープログラム、遠隔監視のためのＳＮＭＰ（Simple Network Management Protocol）プログラム、拡張インターフェース４４を介して携帯情報端末５０との間で通信する通信制御プログラム、ＵＰＳ２０側で異常や停電を検出した場合に電子メールを送信するメール送信プログラム等が記憶部４１に記録されている。
【００２３】
さて、ＵＰＳ２０では、予め記憶部４１に記憶されている充放電アルゴリズムに従い、ＵＰＳ制御装置２６が蓄電池２３の充電及び放電を制御する。
【００２４】
電力管理サーバ３２は、図４に示す充放電アルゴリズムの配布ルーチンを実行し、まず、所定の条件を満たすか否かを検証する（Ｓ１００）。所定の条件を満たすか否かは、例えば、季節の変化に起因して空調機の稼働変化により電力需要が変化したか否かによって判断される。例えば、電力需要が低下したり、電力需要に変化がなかったりして所定の条件を満たさない場合（Ｎｏ）には、所定の条件が満たされるか否かの検証に戻り、電力需要が増加して所定の条件を満たす場合（Ｙｅｓの場合）には、電力管理サーバ３２が新たな充放電アルゴリズムを生成する（Ｓ１０１）。新たな充放電アルゴリズムとしては、例えばＵＰＳ２０の蓄電池２３から取り出し可能な電力量（すなわち残容量）と、このＵＰＳ２０につながる負荷装置１１のバックアップに要する電力量との差分（余剰電力量）を負荷装置１１に供給するための動作手順が例示される。
なお、所定の条件を満たすか否かは、電力需要が変化したか否かの検証だけではなく、例えば、新規にＵＰＳを設置したか否か、電気料金など電力の料金体系が変更になることで現状よりも効率のよい電力制御条件が生じたか否か、計画停電など停電の要求があったか否か、使用電力の目標値を超えないように制御する、いわゆるデマンドコントロールの要求があったか否か、電力会社による電力の買い取り（ネガワット取引）の条件が変更されたか否かなど、種々の条件を満たすか否かで判断される。所定の条件を満たす場合（Ｙｅｓの場合）には、例えば、管理サーバ３２に予め格納されている新規ＵＰＳ用の充放電アルゴリズム、新料金体系や計画停電などに合わせた充放電アルゴリズムなどが新たな充放電アルゴリズムとして生成される（Ｓ１０１）。
【００２５】
そして、電力管理サーバ３２は生成した新たな充放電アルゴリズムをＥＭＳコントローラ３１に送信し（Ｓ１０２）、ＥＭＳコントローラ３１からＵＰＳ２０のネットワークユニット４０にその充放電アルゴリズムを、ネットワーク３０を介して送信する（Ｓ１０３）。
【００２６】
すると、ネットワークユニット４０では、主演算部４３が新しい充放電アルゴリズムを記憶部４１に格納した上で、図５に示す充放電アルゴリズムの更新ルーチンを実行する。つまり、主演算部４３が、充放電アルゴリズムを記憶部４１に記録するアルゴリズム更新部としても機能する。まず、主演算部４３において、所定の条件を満たすか否か判断することにより、新しい充放電アルゴリズムが実行可能であるか否かを検証する（Ｓ２０１）。所定の条件を満たすか否かは、例えば蓄電池２３に充電されている上述の余剰電力量が、負荷装置１１の運転継続に必要な電力量を上回るか否かで判断する。このように主演算部４３は、電力管理システムであるＥＭＳコントローラ３１からネットワーク３０を介して送信された新しい充放電アルゴリズムを、充電容量取得部によって取得されている蓄電池２３の残容量を参照して実行すべきか否かを判断するアルゴリズム検証部としても機能する。
【００２７】
ステップＳ２０１において、蓄電池２３の余剰電力量が、負荷装置１１の運転継続に必要な電力量を上回ることで所定の条件が満たされ、新たな充放電アルゴリズムが実行可能と判断された場合には、ステップＳ２０２に移行して、その充放電アルゴリズムを実行する。
【００２８】
しかしながら、ステップＳ２０１において、例えば、蓄電池２３の余剰電力量が、負荷装置１１の運転継続に必要な電力量を下回るなど、所定の条件が満たされず、新たな充放電アルゴリズムが実行不能と判断された場合には、ステップＳ２０３に移行する。主演算部４３は、ＥＭＳコントローラ３１に対してネットワーク３０を介して実行不能である理由を返すと共に充放電アルゴリズムの修正を要求する（Ｓ２０３）。つまり、主演算部４３は、充放電アルゴリズムの修正を要求するアルゴリズム修正要求部としても機能する。そして、ＥＭＳコントローラ３１は電力管理サーバ３２に対してその信号を送信し（Ｓ２０４）、電力管理サーバ３２における充放電アルゴリズムの配布ルーチン（図４）に戻る。
なお、充放電アルゴリズムの修正を要求するための所定の条件を満たすか否かの判断は、蓄電池２３の余剰電力量が負荷装置１１の運転継続に必要な電力量が上回るか否かの判断だけでなく、例えば、ＵＰＳの故障交換や増設など記憶部４１の充放電アルゴリズムが更新されているか否か、サイクル放電回数が基準値を超えていないか否かなど、種々の条件によって判断される。そして、所定の条件が満たされない場合には、アルゴリズム修正要求部としての主演算部４３が、ＥＭＳコントローラ３１に対して充放電アルゴリズムの修正を要求する信号を送信する。
【００２９】
このため、電力管理サーバ３２は実行不能である理由を参照して新たな充放電アルゴリズムを生成する（Ｓ１０１）。そして、ステップＳ１０２，Ｓ１０３を経由するから、生成された新たな充放電アルゴリズムがネットワークユニット４０に送り込まれてネットワークユニット４０においてアルゴリズムの更新ルーチンが再び実行される。この結果、ＵＰＳ２０は、電力管理サーバ３２にて生成された実行可能な新たな充放電アルゴリズムに基づいて運転されることになる。
【００３０】
このように本実施形態によれば、電力管理サーバ３２は各負荷装置１１〜１４の状況や電力系統１０の状況を把握しているから、負荷装置１１〜１４の種類・容量、昼夜・季節、故障・更新等の使用条件や使用環境或いは電力制御目的に応じて、電力管理システムの管理範囲の全体最適となる充放電アルゴリズムを生成することができる。しかも、電力管理サーバ３２はいったんその充放電アルゴリズムを生成すれば、ネットワーク３０を介してＵＰＳ２０を直接制御するのではなく、ネットワークユニット４０の記憶部４１に新しい充放電アルゴリズムを送り込んで、ＵＰＳ２０における独立制御に任せることができるから、ＥＭＳコントローラ３１側の処理負担は極めて小さくなる。また、新しい充放電アルゴリズムをネットワークユニット４０に送り込んだ後なら、万が一ネットワーク３０に障害が発生したとしても、ＵＰＳ２０は引き続き電力管理システムによる電力制御を可能な態勢を維持できる。
【００３１】
さらに、本実施形態では、電力管理サーバ３２において生成した新しい充放電アルゴリズムを、ＵＰＳ２０の運用状況を十分に把握しているネットワークユニット４０においてその妥当性を検証し、その充放電アルゴリズムが実行不能である場合には、アルゴリズム修正要求部である主演算部４３がＥＭＳコントローラ３１にアルゴリズムの修正要求を出力して新しい充放電アルゴリズムを再作成させるようにしているから、各ＵＰＳ２０の状況に適合した安全で安定した動作を実現することができる。
【００３２】
＜他の実施形態＞
（１）上記実施形態では、蓄電池搭載機器として無停電電源装置を例示したが、これに限られず、例えば深夜電力によって充電した電力を昼間に放電させて電力需要の平準化を図るピークシフト用の蓄電池搭載機器や、昼間に太陽電池出力によって充電し、夜間に放電する太陽電池用の蓄電池搭載機器であってもよい。
【００３３】
（２）上記実施形態では、蓄電池がリチウムイオン電池からなる例を示したが、これに限らず、鉛蓄電池やニッケル水素電池等の各種の二次電池が利用できることはもちろんである。鉛蓄電池を使用した場合には，例えば電池モジュール毎に電池の電圧、電流、温度等の管理情報を取得することもできる。
【００３４】
（３）上記実施形態では、説明の簡略化のために電力管理システムが４台の負荷装置１１〜１４を管理する構成を例示したが、これに限らず、電力管理システムが工場全体の電力負荷を管理するFEMS(Factory Energy Management System)、家庭内の電力機器を管理するHEMS(Home Energy Management System)、街や地域の電力機器を管理するCEMS(Community Energy Management System)、ビル全体や商業施設の電力機器を管理するBEMS(Building Energy Management System)に適用できることはもちろんである。
【００３５】
（４）上記実施形態では、ＥＭＳコントローラ３１とは別に電力管理サーバ３２を設けた構成例を示したが、これに限らず、ＥＭＳコントローラ３１に電力管理サーバ３２のデータ処理機能を与えて両者を一体化した構成としてもよい。或いは、複数のＥＭＳコントローラを、ネットワークを介して電力管理サーバに接続した大規模な電力管理システムに適用しても良い。
【００３６】
（５）上記実施形態では、ＵＰＳ２０として、常時インバータ２４から負荷装置に電力を供給するタイプのものを示したが、通常時は電力系統から負荷装置に電力を供給し、電力系統の停電時にインバータからの電力を負荷装置に供給するように切り換えるタイプのものも使用できることはもちろんである。
【符号の説明】
【００３７】
１０：電力系統
１１〜１４：負荷装置
２０：無停電電源装置（蓄電池搭載機器）
２３：蓄電池
２６：ＵＰＳ制御装置（充電容量取得部）
３０：ネットワーク
３１：ＥＭＳコントローラ
３２：電力管理サーバ
４０：ネットワークユニット
４１：記憶部（アルゴリズム記憶部）
４２：ネットワークインターフェース
４３：主演算部（アルゴリズム更新部、アルゴリズム検証部、アルゴリズム修正要求部）
【図１】
2019009997.tif 000003
【図２】
2019009997.tif 000004
【図３】
2019009997.tif 000005
【図４】
2019009997.tif 000006
【図５】
2019009997.tif 000007